(57)【要約】【課題】操作部と回路基板との接続を極めて容易に行って生産性を向上できる携帯端末を提供する。【解決手段】携帯端末１０は、筐体１１と、筐体１１に支持される板金部材１８と、筐体１１と板金部材１８との間に配置された第１回路基板１９と、板金部材１８の第１回路基板１９とは反対側に配置された第２回路基板２０と、板金部材１８に配置された貫通孔３５と、第１回路基板１９に配置され、貫通孔３５から第２回路基板２０側に露出する第１コネクタ３６と、第２回路基板２０に配置され、貫通孔３５を通じて第１コネクタ３６に接続される第２コネクタ３７と、第２回路基板２０よりも外側に配置されたキーシート３３と、を備えた。【選択図】図１
2012005072.tif 000002
【特許請求の範囲】
【請求項１】
筐体と、
前記筐体に支持される板金部材と、
前記筐体と前記板金部材との間に配置された第１回路基板と、
前記板金部材の前記第１回路基板とは反対側に配置された第２回路基板と、
前記板金部材に配置された貫通孔と、
前記第１回路基板に配置され、前記貫通孔から前記第２回路基板側に露出する第１コネクタと、
前記第２回路基板に配置され、前記貫通孔を通じて前記第１コネクタに接続される第２コネクタと、
前記第２回路基板よりも外側に配置されたキーシートと、を備えた携帯端末。
【請求項２】
前記筐体が、枠状の側部と、前記側部の一端側を覆う底部とを有し、
前記側部と前記底部が一体成型され、前記板金部材が前記側部と嵌合する請求項１に記載の携帯端末。
【発明の詳細な説明】
【技術分野】
【０００１】
本発明は、携帯電話機やＰＤＡ（Personal Digital Assistant）等の携帯端末に関する。
【背景技術】
【０００２】
従来より操作部（入力装置）と回路基板とを筺体に収容した携帯端末がある（例えば、特許文献１参照）。
【先行技術文献】
【特許文献】
【０００３】
【特許文献１】特開２００１−２８３６８０号公報（図４、段落番号００３１）
【発明の概要】
【発明が解決しようとする課題】
【０００４】
前述した特許文献１に記載された携帯端末は、操作部と回路基板とが予め電気的な接続をされてから筺体に組み込まれる。
ところで、このような従来の携帯端末において、操作部と回路基板とは、上部カバーと下部カバーとで挟むようにする組立方法を行う一方向からの組付けを行わないと効率良く組立を行うことができない。
また、筺体に一旦組み込んでから操作部と回路基板との電気的な接続を行おうとすると、電気的な接続作業用の空間を筺体内に設けなければならないために、この空間によって筺体の小型化および薄型化が難しくなる。
【０００５】
本発明は、前述した課題を解決するためになされたものであり、その目的は、操作部と回路基板との接続を極めて容易に行って生産性を向上できる携帯端末を提供することにある。
【課題を解決するための手段】
【０００６】
本発明に係る携帯端末は、筐体と、前記筐体に支持される板金部材と、前記筐体と前記板金部材との間に配置された第１回路基板と、前記板金部材の前記第１回路基板とは反対側に配置された第２回路基板と、前記板金部材に配置された貫通孔と、前記第１回路基板に配置され、前記貫通孔から前記第２回路基板側に露出する第１コネクタと、前記第２回路基板に配置され、前記貫通孔を通じて前記第１コネクタに接続される第２コネクタと、前記第２回路基板よりも外側に配置されたキーシートと、を備えている。
【０００７】
本発明においては、第１回路基板上に板金部材を挟んで第２回路基板が重ねられることにより第１回路基板の第１コネクタと第２回路基板の第２コネクタとが貫通孔を通じて電気的に接続される。
従って、本発明においては、操作部に有する第２回路基板と第１回路基板とを積み重ねることにより、電気的な接続が完了し、さらにキーシートを積み重ねることにより、組立作業を極めて容易に行うことができる。
【０００８】
本発明に係る携帯端末は、上記携帯端末において、前記筐体が、枠状の側部と、前記側部の一端側を覆う底部とを有し、前記側部と前記底部が一体成型され、前記板金部材が前記側部と嵌合する。
【０００９】
本発明においては、筺体は、枠状の側部と底部とを有するバスタブ形状の一体構造であり、板金部材と第２回路基板とを積み重ねる方向へ組み付けてから一体構造の筺体へ簡単に組み込むことができる。
【発明の効果】
【００１０】
本発明の携帯端末によれば、第１回路基板上に板金部材を挟んで第２回路基板が重ねられることにより第１回路基板の第１コネクタと、第２回路基板の第２コネクタとが貫通孔を通じて電気的に接続される。
これにより、本発明の携帯端末によれば、操作部と回路基板との接続を極めて容易に行って生産性を向上できるという効果を奏する。
【図面の簡単な説明】
【００１１】
【図１】本発明に係る一実施形態の携帯端末の分解斜視図
【図２】図１の携帯端末における第１回路基板と第２回路基板との接続関係を説明する分解斜視図
【図３】図１の携帯端末の縦断面図
【図４】図２の要部拡大断面図
【図５】図１の携帯端末の板金部材の取付時の外観斜視図
【図６】図５の携帯端末の側面図
【図７】図１の携帯端末における板金部材の嵌合部周りの外観斜視図
【図８】図１の携帯端末の板金部材周りの縦断面
【図９】図８の携帯端末の要部拡大断面図
【図１０】（Ａ）、（Ｂ）、（Ｃ）は図１の携帯端末における板金部材の取り付け手順を説明するそれぞれ平面図
【図１１】（Ａ）、（Ｂ）、（Ｃ）、（Ｄ）は図１の携帯端末における板金部材の取り外し手順を説明するそれぞれ断面図および斜視図
【発明を実施するための形態】
【００１２】
以下、本発明の一実施形態に係る携帯端末について図面を参照して説明する。
本発明の一実施形態である携帯端末１０は、操作部１２が設けられた下筐体１１と、表示部１４が設けられた上筐体１３と、下筐体１１および上筐体１３を折り畳み自在に連結する連結部１５とを備えた折り畳み式携帯端末である。
【００１３】
なお、携帯端末１０は、電子機器として二つ折りの折り畳み式携帯端末を例示するが、二つ折りの折り畳み式携帯端末に限定するものではなく、ストレート型の携帯端末に適用することも可能である。
【００１４】
図１、図２に示すように、下筐体１１は、枠状の側部１６と、側部１６の貫通方向一端部を覆う底部１７とを一体に有し、側部１６の内側に、板金部材１８と、第１回路基板１９と、第２回路基板２０とを収容するための電子部品収容部２１が形成されている。上筺体１３の表示部１４は、例えば液晶表示装置である。第１回路基板１９には、携帯端末１０の中枢機能をなす複数の電子部品２２が実装されている。
【００１５】
下筐体１１は、側部１６の連結部寄りの両側内面（内側）に板金部材１８に有する爪部（図３参照）２３が入り込む間隔寸法を有する複数のリブ２４が設けられており、底部１７に電池パック２５を着脱自在な電池取り付け部２６と、電池取り付け部２６を塞ぐための電池カバー２７とを有する。下筺体１１は、側部１６の一部に外部コネクタカバー２８を着脱自在に備え、ケーブル接続部材２９と、ケーブル接続部材カバー３０とを備える。
【００１６】
板金部材１８は、第１回路基板１９よりも側部１６の貫通方向他端側に設けられており、その上面に、不図示の基板シートとパネルスイッチ３１とが配置されている。そして、板金部材１８の上面には、入力操作部２０を構成する第２回路基板３２が載置され、この第２回路基板３２上に同じく入力操作部２０を構成するキーシート３３が載置される。
なお、キーシート３３は、携帯端末１０を操作する操作者の指が触れることにより、その下側の第２回路基板３２の所定のパネルスイッチ３１が押圧される。
【００１７】
板金部材１８には、金属製の板形状をなす板金部材本体３４の長さ方向における連結部１５寄りの部位の上面に四角形の貫通孔３５が設けられている。貫通孔３５は、その周囲に段部を有するために、板金部材１８上にキーシート３３が取り付けられた際に、キーシート３３に凸部、即ちキーシート３３に浮きを生ずることがない。貫通孔３５は、第１回路基板１９上に板金部材１８を挟んで第２回路基板３２が順次重ねられることにより、第１回路基板１９の連結部１５側の上面側部に設けられている第１コネクタ３６と、第２回路基板３２の連結部１５側の下面側部に設けられている第２コネクタ３７とを通過させることができる。そのため、第１回路基板１９に第２回路基板３２を重ねる方向への組み込みにより、貫通孔３５を通じて各コネクタ３６、３７が電気的に接続される。これにより、電線の電気的な接続等の作業を行う必要がなくなり、同一の組付方向からの簡単な組立を実現することができる。
【００１８】
板金部材１８は、その長さ方向の連結部１５の反対側に掛止片３８を有する。掛止片３８は、板金部材１８の長さ方向に突出しており、板金部材１８が下筺体１１に取り付けられる際に、側部１６の裏面に最初に掛止されることにより支点として機能する。板金部材１８は第１回路基板１９にネジ３９により固定される。
【００１９】
図３に示すように、板金部材１８は、その両側縁部に可撓嵌合片状の複数の爪部２３を有する。そのため、板金部材１８は、複数の爪部２３を下筐体１１の上方から側部１６の内側に向けて押圧挿入させることにより、複数の爪部２３が下筐体１１の側部１６の内面に有する嵌合部４０に嵌合される。
すなわち、板金部材１８は、下筐体１１のキーシート３３を固定する部分の反対側に保持される。
【００２０】
ここで、爪部２３の嵌合とは、爪部２３が下筐体１１の側部１６に単に接触している状態ではなく、板金部材１８を下筐体１１の内側に配置するにあたって、側部１６あるいは板金部材１８の縁部のうちの一方あるいは双方が弾性変形した後に、初期形状に復帰することにより、互いの相対位置が固定されることを言う。
【００２１】
図４に示すように、より具体的に、板金部材１８は、爪部２３により、下筐体１１の側部１６の上端部に形成されている縁面部４１の内側に予め定められた防水保持用距離Ｌ１を開けて配置されている嵌合部４０に嵌合される。そして、この縁面部４１の上面にキーシート３３が載置されるために、下筺体１１の内部に対して第２回路基板３２が高い防水性を発揮することになる。
【００２２】
爪部２３は、下筐体１１の側部１６の内面に有する嵌合部４０に嵌合された際に、下筐体１１の側部１６の両側面に有するリブ２４同士の間に入り込む。爪部２３がリブ２４同士の間に入り込むことにより、板金部材１８は、その長さ方向に移動不能に下筐体１１に位置決めされる。
【００２３】
図５、図６、図７に示すように、爪部２３は、板金部材１８の板金部材本体３４のほぼ中央部における両縁部に複数個形成されており、両縁部から下方に向けて突出されている。これら爪部２３は、板金部材本体３４の長手方向に所定間隔を開けて配置されている。そのため、板金部材１８を下筺体１１の側部１６に組付けるに際し、板金部材１８が長さ方向に対して撓んだとしても所定間隔を有する複数の爪部２３を下筺体１１の側部１６に入れやすくなっている。なお、爪部２３は、板金部材本体３４の中央部の両縁部に４個ずつ形成されるのに限定されることはなく、４個以外の２個以上の複数個であっても良い。
【００２４】
図８、図９に示すように、板金部材１８は、複数の爪部２３の両側に複数の回路基板当接片４２を有する。回路基板当接片４２は、補強用の支柱として機能して板金部材１８の全体の剛性を高めるものであり、爪部２３と同様に板金部材本体３４の両縁部から下方に向けて突出されており、先端部にコ字形状に形成された弾性当接部４３を有する。回路基板当接片４２は、板金部材１８が爪部２３により下筺体１１の側部１６に組付けられた際に、弾性当接部４３が第１回路基板１９の上面に当接して板金部材１８を下筺体１１内に支持する。
【００２５】
次に、板金部材１８の下筺体１１への取り付け手順について説明する。
図１０（Ａ）に示すように、板金部材１８が下筺体１１の電子部品収容部２１の上方に配置される。次に、図１０（Ｂ）に示すように、板金部材１８の掛止片３８が側部１６の裏面に最初に掛止され、板金部材１８が電子部品収容部２１に向けて押圧される。そして、図１０（Ｃ）に示すように、掛止片３８を支点として板金部材１８が撓みながら電子部品収容部２１に向けて進行されていき、掛止片３８側の爪部２３から側部１６の内面の嵌合部４０に順次嵌合されていく。このとき、爪部２３が板金部材１８の長さ方向に所定間隔を有するために、爪部２３は下筺体１１の側部１６に簡単に入り込んでいく。
【００２６】
次に、板金部材１８の下筺体１１からの取り外し手順について説明する。
図１１（Ａ）に示すように、まず、板金部材１８の爪部２３の上部が治具５０等により押圧される。すると、図１１（Ｂ）、図１１（Ｃ）に示すように、板金部材１８の端部が下方へ向けて撓む。板金部材１８の端部が下方へ向けて撓むことにより爪部２３が嵌合部４０から外れる。そして、図１１（Ｄ）に示すように、取り付け時と同様にして、掛止片３８を支点として板金部材１８が電子部品収容部２１から離脱されて下筺体１１から取り外される。
【００２７】
従って、この一実施形態の携帯端末１０においては、第１回路基板１９上に板金部材１８を挟んで第２回路基板２０が重ねられることにより第１回路基板１９の第１コネクタ３６と第２回路基板２０の第２コネクタ３７とが貫通孔３５を通じて電気的に接続される。
これにより、この一実施形態の携帯端末１０においては、操作部１２に有する第２回路基板２０と第１回路基板１９との接続を、各回路基板２０、１９を積み重ねる方向への組付けにより極めて容易に行うことができる。
【００２８】
また、この一実施形態の携帯端末１０においては、第２回路基板２０上にキーシート３３を積み重ねる方向への組付けにより、板金部材１８とキーシート３３との間に第２回路基板２０を組付けることができる。
これにより、この一実施形態の携帯端末１０においては、第１回路基板１９上に板金部材１８を積み重ねるのと同一方向から第２回路基板２０およびキーシート３３を組付けることができる。
【００２９】
そして、この一実施形態の携帯端末１０においては、下筺体１１が、側部１６と底部１７とを有するバスタブ形状の一体構造であり、板金部材１８と第２回路基板２０とを積み重ねる方向へ組付けてから一体構造の下筺体１１に組み込まれる。
これにより、この一実施形態の携帯端末１０においては、従来のもののような操作部と回路基板とを上部カバーと下部カバーとで挟む組立方法と同一の方向により、板金部材１８と第２回路基板２０とを一体構造の下筺体１１に対して組付けることができる。
【００３０】
なお、前記実施形態で使用した操作部、表示部、連結部等は例示したものに限定するものではなく適宜変更が可能である。
【産業上の利用可能性】
【００３１】
以上のように本発明に係る携帯端末は、操作部と回路基板との接続を極めて容易に行って生産性の向上を図ることができるために、携帯電話機、ＰＤＡ以外の各種電子機器にも適用することができる。
【符号の説明】
【００３２】
１０  携帯端末
１１  下筺体（筐体）
１６  側部
１７  底部
１８  板金部材
１９  第１回路基板
３２  第２回路基板
３３  キーシート
３５  貫通孔
３６  第１コネクタ
３７  第２コネクタ
３３  キーシート
【図１】
2012005072.tif 000003
【図２】
2012005072.tif 000004
【図３】
2012005072.tif 000005
【図４】
2012005072.tif 000006
【図５】
2012005072.tif 000007
【図６】
2012005072.tif 000008
【図７】
2012005072.tif 000009
【図８】
2012005072.tif 000010
【図９】
2012005072.tif 000011
【図１０】
2012005072.tif 000012
【図１１】
2012005072.tif 000013